(57)【要約】【課題】        操縦安定性を確保しつつ、自転車の後部に荷物等を積載した状態でも車体の安定を図ることが可能な自転車用姿勢安定装置を提供する。【解決手段】    ボトムブラケット近傍に設けられた支点と該支点に回動可能に軸支された左右一対のスイングアームを有し、該スイングアームは他端に補助輪を回動可能に軸支しており、また該スイングアームにはリンクロッド下端が回動可能に配設されてなり、該リンクロッド上端は後輪上方の荷台に連接された構造を持ち、該荷台前端はシートステー上部に配設された軸受に上下及び左右方向に回動可能に取り付けられた構造とすることで課題を解決した。【選択図】図１
2010163147.tif 000002
【特許請求の範囲】
【請求項１】
ボトムブラケット近傍に設けられた支点と該支点に回動可能に軸支された左右一対のスイングアームを有し、該スイングアームはそれぞれ他端に補助輪を回動可能に軸支しており、また該スイングアームにはリンクロッド下端が回動可能に配設されてなり、該リンクロッド上端は後輪上方の荷台に連接された構造を持ち、該荷台前端はシートステー上部に配設された軸受に上下及び左右方向に回動可能に取り付けられた構造の自転車用積載時姿勢安定装置。
【請求項２】
左右のスイングアームにスタビライザーを連結した請求項１に記載の自転車用積載時姿勢安定装置。
【請求項３】
自転車フレームと後輪上方の荷台の間に伸長バネ手段が配設されており、空荷状態では該荷台及び補助輪部分が上方に跳ね上がる構造の請求項１に記載の自転車用積載時姿勢安定装置。
【発明の詳細な説明】
【技術分野】
【０００１】  本発明は、自転車用積載時姿勢安定装置に関するものである。
【背景技術】
【０００２】  二輪である自転車は構造特性上、不安定であることから自転車の安定を図るため、前一輪、後二輪の三輪自転車が広く普及している。【０００３】  また、自転車の転倒を防止するため、Ｌ字型アームを後輪軸の左右に取り付け、該Ｌ字型アーム水平部先端に回動自在に補助輪を軸支した構造が子供用自転車に広く採用されている。
【発明の開示】
【発明が解決しようとする課題】
【０００４】  前述した従来の技術においては、下記の問題があった。【０００５】  前一輪、後二輪の三輪自転車を旋回させようとする際は、二輪自転車のように車体が傾斜しないため、旋回が難しい。そのため、前輪及びシートを支持する前フレームに対して後二輪を支持する後フレームが左右方向に揺動可能な揺動機構が設けられており、前フレームを傾斜させることが可能である。しかしながら、三輪自転車の運転に不慣れな人や体力に劣る人にとっては体幹による重心移動が難しく、不安定になることがあった。【０００６】  また、後二輪は同軸上の平行位置に固定されていることから、旋回時には左右の後輪で回転差が生じ、操縦安定性を悪化させていた。【０００７】  また、前述のＬ字型アームによる補助輪構造は車体の転倒を防止する反面、旋回時に車体の傾斜を妨げるため、逆に運転を難しくしていた。【０００８】  上記課題を解消するため、例えば実開平０７−００６０５８に示すように、一端に補助輪を回動自在に軸支した水平軸と、この水平軸の他端に係止された自転車後輪への取付軸との間の角度を可変とする油圧シリンダーとより構成した構造が採られている。【０００９】  しかしながら上記考案においては、車体の傾斜時に補助輪が妨げにならないものの、補助輪は水平軸と後輪取付軸の連結部を中心とした円周上を動くことになるため、車体の傾斜角によっては補助輪は後輪との距離が著しく変化する。このトレッド変化により補助輪と路面との摩擦が発生し、車体の挙動が不安定になるという問題を有していた。【００１０】  本発明は前記のような従来技術の問題点に鑑みて、操縦安定性を確保しつつ自転車の後部に荷物等を積載した状態においても車体の安定を図ることが可能な姿勢安定装置を提供することを目的とするものである。
【特許文献１】実開平０７−００６０５８号公報
【課題を解決するための手段】
【００１１】  本発明における自転車用積載時姿勢安定装置においては、ボトムブラケット下方に設けられた支点と該支点に回動可能に軸支された左右一対のスイングアームを有し、該スイングアームは他端に補助輪を回動可能に軸支しており、また該スイングアームにはリンクロッド下端が回動可能に配設されてなり、該リンクロッド上端は後輪上方の荷台に連接された構造を持ち、該荷台前端はシートステー上部に配設された軸受に上下及び左右方向に回動可能に取り付けられた構造とすることで課題を解決した。【００１２】  上記の課題解決手段による作用は次の通りである。すなわち、荷台へ貨物を積載した際は、積載物の重量は主に左右の補助輪で支持すると共に、車体が傾斜した際も荷台はリンクロッドにより車体の傾斜する側と反対方向に押し戻されるため、貨物を積載したことによる重心の上方への移動により問題となるふらつき等の車体への影響を抑えることができ、車体の安定を図ることが可能である。【００１３】  また、上記のような構造であることから積載物の重量に応じて補助輪の路面への接地力は変化することになる。つまり、無積載時には補助輪の接地力は弱く、重量物を積載した際には補助輪の接地力は強くなる。そのため、補助輪による積載物支持力が必要ではない無積載時には、補助輪のない二輪自転車同様の運転感覚が得られ、重量物を積載した際には、その重量に応じて補助輪による車体の安定力を得ることができる。【００１４】  ところで段差のある路面等では、補助輪のいずれか一方が、他の補助輪及び後輪よりも著しく高いもしくは低い位置となった際に、上記構造では荷台のみが傾いてしまい不安定となるため、補助輪のストローク規制を行なうバンプストッパーをスイングアームと車体の間に配設することで、これを防止する。【００１５】  また、旋回時においては補助輪が後輪に対して上下するため、車体の傾斜の妨げにはならず、さらに補助輪は後輪と平行に上下方向に動く構造であるので、トレッド変化が少なく安定した操縦性を得ることができる。
【発明の効果】
【００１６】  上述したように本発明の自転車用積載時姿勢安定装置は、高い操縦安定性と貨物積載時における車体の安定性を両立することが可能である。
【発明を実施するための最良の形態】
【００１７】  以下、本発明の実施の形態を自転車用積載時姿勢安定装置の構造図を示し説明する。【００１８】  図１は請求項１に記載の本発明における自転車用積載時姿勢安定装置を示す側面図である。また、図２は請求項１に記載の本発明における自転車用積載時姿勢安定装置を示す背面図である。【００１９】  本発明における自転車用積載時姿勢安定装置においては、ボトムブラケット１下方のチェーンステー２下方に軸受台座３が固設されており、該軸受台座３に設けられた軸受支点４の両端には左右一対となるスイングアーム５の前端が回動可能に軸着されており、該スイングアーム５はそれぞれ独立して回動する。また、それぞれスイングアーム５は他端で補助輪６を回動可能に軸支している。【００２０】  前記スイングアーム５の後端付近上部にはステー７が固設されており、該ステー７にはロッドエンド８が取り付けられている。該ロッドエンド８はリンクロッド９下端に配設されており、該リンクロッド９上端にも同様にロッドエンド１０が配設されている。ロッドエンド１０は後輪１１の上方に配設された荷台１２の後方下部に固設されたステー１３に取り付けられている。【００２１】  図３は請求項１に記載の本発明における自転車用積載時姿勢安定装置の荷台前方軸受部の構造図である。【００２２】  前記荷台１２の中心前端には前方に向けロッド１４が固設されている。シートステー１５左右上部にはステー１６が２つ固設されており、該ステー１６の間には円筒状の軸受１７が配設されており、回動可能に軸支されている。上記軸受１７の中間部には軸受１７と直交方向に軸受１８が固設されている。該軸受１８は前述のロッド１４が挿通されており、ロッド１４前端は軸受１８に挿通されると共に回動可能に軸着されている。【００２３】  チェーンステー２下部にはバンプストッパー１９が配設されている。スイングアーム５にはバンプストッパー１９に対応する位置に当て板２０が配設されている。これによりスイングアーム５のストロークを規制している。【００２４】  図４は請求項２に記載の自転車用積載時姿勢安定装置を示す側面図である。また、図５は請求項２に記載の左右のスイングアーム４に連結されたスタビライザー２１を示す斜視図である。【００２５】  前記スタビライザー２１の中間部はブラケット２２により軸受台座３上部に回動可能に支持されている。【００２６】  また前記スタビライザー２１の両端部は、球面軸受からなるスタビリンク２３を介して左右のスイングアーム５にそれぞれ連結されている。【００２７】  これによりスタビライザー２１のバネ反力がスイングアーム５に作用し、旋回時における左右スイングアーム５のロール剛性を高めて、車体の安定性を向上させている。【００２８】  図６は請求項３に記載の荷台及び補助輪部分跳ね上げ構造を持つ自転車用積載時姿勢安定装置を示す側面図である。【００２９】  シートステー１５の中間部付近にはステー２４が固設されており、該ステー２４には伸長バネ手段であるガススプリング２５の下端が取り付けられている。該ガススプリング２５上端は荷台１２側部に設けられたステー２６に取り付けられている。荷台１２に荷重がかかっていない、いわゆる空荷の状態では図７に示すようにガ���スプリング２５の反発力により補助輪６及び荷台１２構造部分が上方に跳ね上げられる。これにより運転者単独走行時等、車体の安定力が不要な際には補助輪６が路面から離れて路面との回転抵抗を減少させることができる。【００３０】  本発明は上記の構成とすることで課題を解決した。
【図面の簡単な説明】
【００３１】
【図１】本発明における自転車用積載時姿勢安定装置を示す側面図である。
【図２】本発明における自転車用積載時姿勢安定装置を示す背面図である。
【図３】本発明における自転車用積載時姿勢安定装置の荷台前方軸受部の構造図である。
【図４】請求項２に記載の自転車用積載時姿勢安定装置を示す側面図である。
【図５】請求項２に記載の自転車用積載時姿勢安定装置におけるスタビライザー部分を示す斜視図である。
【図６】請求項３に記載の自転車用積載時姿勢安定装置を示す側面図である。
【図７】請求項３に記載の自転車用積載時姿勢安定装置における荷台部分跳ね上げ状態を示す側面図である。
【図８】請求項３に記載の自転車用積載時姿勢安定装置を示す背面図である。
【符号の説明】
【００３２】１      ボトムブラケット
２      チェーンステー
３      軸受台座
４      軸受支点
５      スイングアーム
６      補助輪
７      ステー
８      ロッドエンド
９      リンクロッド
１０    ロッドエンド
１１    後輪
１２    荷台
１３    ステー
１４    ロッド
１５    シートステー
１６    ステー
１７    軸受
１８    軸受
１９    バンプストッパー
２０    当て板
２１    スタビライザー
２２    ブラケット
２３    スタビリンク
２４    ステー
２５    ガススプリング
２６    ステー
【図１】
2010163147.tif 000003
【図２】
2010163147.tif 000004
【図３】
2010163147.tif 000005
【図４】
2010163147.tif 000006
【図５】
2010163147.tif 000007
【図６】
2010163147.tif 000008
【図７】
2010163147.tif 000009
【図８】
2010163147.tif 000010